(57)【要約】【課題】紫外線硬化型の白色インクの硬化性や隠蔽性に優れたインクジェット記録装置を提供する。【解決手段】少なくとも白色有機顔料及び輻射線重合性化合物を含有する白色インクをノズルから吐出する記録ヘッドを備え、前記ノズルは、インク吐出側の開口からインク流入側に向かって０度以上１０度以下の範囲の広がり角度をもつ円柱部と、前記円柱部の広がり角度より大きい広がり角度をもつ円錐部とから成る漏斗形状であることを特徴とするインクジェット記録装置を提供することにより、前記課題を解決する。【選択図】  図４
2008001072.tif 000002
【特許請求の範囲】
【請求項１】
少なくとも白色有機顔料及び輻射線重合性化合物を含有する白色インクをノズルから吐出する記録ヘッドを備え、
前記ノズルは、インク吐出側の開口からインク流入側に向かって０度以上１０度以下の範囲の広がり角度をもつ円柱部と、前記円柱部の広がり角度より大きい広がり角度をもつ円錐部とから成る漏斗形状であることを特徴とするインクジェット記録装置。
【請求項２】
前記白色有機顔料は、下記一般式（Ｉ）
【化１】
2008001072.tif 000007
（ただし、Ｒは水素原子、炭素数１〜４の低級アルキル基又は脂環式基を示す。また、Ｒ１、Ｒ２、Ｒ３、Ｒ４はそれぞれ独立に水素原子、炭素数１〜４の低級アルキル基を示し、窒素原子と共に複素環式基を形成してもよい。また、Ｘは炭素数２から３の低級アルキレン基を示す。）で表される白色有機顔料であることを特徴とする請求項１に記載のインクジェット記録装置。
【発明の詳細な説明】
【技術分野】
【０００１】
本発明は、インクジェット記録装置に係り、特に、白色有機顔料及び輻射線重合性化合物を含有する白色インクをノズルから吐出する記録ヘッドを備えるインクジェット記録装置に関する。
【背景技術】
【０００２】
インクジェット記録装置は、多数のノズル（吐出口）を有する記録ヘッドを備え、各ノズルからインク滴を吐出することによって、記録媒体上に所望の画像を形成するものである。この記録装置は、多種態様の記録媒体に対して高品位な画像を記録できることから、幅広い応用分野で利用されている。
【０００３】
インクジェット記録装置には、例えば、特許文献１〜３に開示されるような、白色インクを用いるものがある。白色インクは、透明な記録媒体に記録する場合に十分な光学濃度を得るための下地として利用されたり、着色された記録媒体に記録する場合に媒体色が透けるのを防止するために利用されたりする。白色インクの着色剤としては、白色無機顔料が一般的であり、安全性や隠蔽性の高さから、酸化チタンや酸化亜鉛などの白色無機顔料がよく用いられる。
【０００４】
一方、記録ヘッドのノズルに関して、特許文献４には、図７に示すような単純な先細りのラッパ形状のノズル２６０に比べて、図８に示すような円柱部３６０Ａと円錐部３６０Ｂから成る漏斗形状のノズル３６０の方がメニスカス位置を安定化させることができ、吐出安定性を向上させることができることが開示されている。
【特許文献１】特開２００４−５９６２７号公報
【特許文献２】特開２００４−１８５４６号公報
【特許文献３】特開２００１−１８５４６号公報
【特許文献４】特開平５−２２９１２７号公報
【発明の開示】
【発明が解決しようとする課題】
【０００５】
しかしながら、特許文献１〜３に開示された白色インクは紫外線硬化型インクであり、インク吸収性の低い記録媒体などに対して吐出される場合でも定着性を良くすることができるものの、次のような問題がある。即ち、白色インクの着色剤として、白色無機顔料が含有される場合には、その比重が高いため、顔料が沈降、凝集しやすく、インク流路中につまったりして吐出特性を損ないやすい。また、白色無機顔料は紫外線を反射するので、インク塗膜内部の硬化性が悪い。これに対し、白色有機顔料が含有される場合には、比較的比重が低いため、白色無機顔料と比べてインク中の分散性が良く、紫外線も透過するため、白色無機顔料と比べて硬化性は優れているものの、白色無機顔料に比べると高価であり、顔料使用量あたりの隠蔽率（隠蔽性）を高める必要がある。
【０００６】
一方、特許文献４、５には、ノズル形状と白色インクとの関係において、白色インクの硬化性や隠蔽性を高めることは考慮されていない。
【０００７】
本発明はこのような事情に鑑みてなされたもので、紫外線硬化型の白色インクの硬化性や隠蔽性に優れたインクジェット記録装置を提供することを目的とする。
【課題を解決するための手段】
【０００８】
前記目的を達成するために、請求項１に記載の発明は、少なくとも白色有機顔料及び輻射線重合性化合物を含有する白色インクをノズルから吐出する記録ヘッドを備え、前記ノズルは、インク吐出側の開口からインク流入側に向かって０度以上１０度以下の範囲の広がり角度をもつ円柱部と、前記円柱部の広がり角度より大きい広がり角度をもつ円錐部とから成る漏斗形状であることを特徴とするインクジェット記録装置を提供する。
【０００９】
本発明によれば、白色有機顔料及び輻射線重合性化合物を含有する白色インクと、０度以上１０度以下の範囲の広がり角度をもつ円柱部とそれよりも大きな広がり角度をもつ円錐部とから成る漏斗形状のノズルとの組み合わせにより、白色インクの隠蔽性や硬化性に優れたインクジェット記録装置を実現することができる。
【００１０】
請求項２に記載の発明は、請求項１に記載のインクジェット記録装置であって、前記白色有機顔料は、下記一般式（Ｉ）
【００１１】
【化１】
2008001072.tif 000003
【００１２】
（ただし、Ｒは水素原子、炭素数１〜４の低級アルキル基又は脂環式基を示す。また、Ｒ１、Ｒ２、Ｒ３、Ｒ４はそれぞれ独立に水素原子、炭素数１〜４の低級アルキル基を示し、窒素原子と共に複素環式基を形成してもよい。また、Ｘは炭素数２から３の低級アルキレン基を示す。）で表される白色有機顔料であることを特徴とする。
【００１３】
請求項２の態様は、白色インクの隠蔽性や硬化性を高めるのに好適な態様である。
【発明の効果】
【００１４】
本発明によれば、白色有機顔料及び輻射線重合性化合物を含有する白色インクと、０度以上１０度以下の範囲の広がり角度をもつ円柱部とそれよりも大きな広がり角度をもつ円錐部とから成る漏斗形状のノズルとの組み合わせにより、白色インクの隠蔽性や硬化性に優れたインクジェット記録装置を実現することができる。
【発明を実施するための最良の形態】
【００１５】
以下、添付図面に従って本発明の好ましい実施の形態について詳説する。
【００１６】
〔インクジェット記録装置の全体構成〕
図１は、本発明の一実施形態としてのインクジェット記録装置の全体構成図である。図２は、本実施形態のインクジェット記録装置の印字部周辺を示す要部平面図である。
【００１７】
本実施形態のインクジェット記録装置１０は、紫外線硬化型（ＵＶ硬化型）インクを用いた装置であり、特に、着色剤として白色有機顔料を含有する白色インクを用いることを特徴としている。
【００１８】
図１に示すように、インクジェット記録装置１０は、インクの色毎に設けられた複数の記録ヘッド（以下、単に「ヘッド」という。）１２Ｗ、１２Ｋ、１２Ｃ、１２Ｍ、１２Ｙを有する印字部１２と、各ヘッド１２Ｗ、１２Ｋ、１２Ｃ、１２Ｍ、１２Ｙに供給するインクを貯蔵しておくインク貯蔵／装填部１４と、記録紙１６を供給する給紙部１８と、記録紙１６のカールを除去するデカール処理部２０と、前記印字部１２のノズル面（インク吐出面）に対向して配置され、記録紙１６の平面性を保持しながら記録紙１６を搬送する吸着ベルト搬送部２２と、印字部１２による印字結果を読み取る印字検出部２４と、紫外線照射部４２と、印画済みの記録紙（プリント物）を外部に排紙する排紙部２６と、を備えている。
【００１９】
図１では、給紙部１８の一例としてロール紙（連続用紙）のマガジンが示されているが、紙幅や紙質等が異なる複数のマガジンを併設してもよい。また、ロール紙のマガジンに代えて、又はこれと併用して、カット紙が積層装填されたカセットによって用紙を供給してもよい。
【００２０】
ロール紙を使用する装置構成の場合、図１のように、裁断用のカッター２８が設けられており、該カッター２８によってロール紙は所望のサイズにカットされる。カッター２８は、記録紙１６の搬送路幅以上の長さを有する固定刃２８Ａと、該固定刃２８Ａに沿って移動する丸刃２８Ｂとから構成されており、印字裏面側に固定刃２８Ａが設けられ、搬送路を挟んで印字面側に丸刃２８Ｂが配置されている。なお、カット紙を使用する場合には、カッター２８は不要である。
【００２１】
複数種類の記録紙を利用可能な構成にした場合、紙の種類情報を記録したバーコードあるいは無線タグ等の情報記録体をマガジンに取り付け、その情報記録体の情報を所定の読取装置によって読み取ることで、使用される用紙の種類を自動的に判別し、用紙の種類に応じて適切なインク吐出を実現するようにインク吐出制御を行うことが好ましい。
【００２２】
給紙部１８から送り出される記録紙１６はマガジンに装填されていたことによる巻き癖が残り、カールする。このカールを除去するために、デカール処理部２０においてマガジンの巻き癖方向と逆方向に加熱ドラム３０で記録紙１６に熱を与える。このとき、多少印字面が外側に弱いカールとなるように加熱温度を制御するとより好ましい。
【００２３】
デカール処理後、カットされた記録紙１６は、吸着ベルト搬送部２２へと送られる。吸着ベルト搬送部２２は、ローラー３１、３２間に無端状のベルト３３が巻き掛けられた構造を有し、少なくとも印字部１２のノズル面及び印字検出部２４のセンサ面に対向する部分が平面をなすように構成されている。
【００２４】
ベルト３３は、記録紙１６の幅よりも広い幅寸法を有しており、ベルト面には多数の吸引孔（不図示）が形成されている。図１に示したとおり、ローラー３１、３２間に掛け渡されたベルト３３の内側において印字部１２のノズル面及び印字検出部２４のセンサ面に対向する位置には吸着チャンバー３４が設けられており、この吸着チャンバー３４をファン３５で吸引して負圧にすることによってベルト３３上の記録紙１６が吸着保持される。
【００２５】
ベルト３３が巻かれているローラー３１、３２の少なくとも一方にモータ（不図示）の動力が伝達されることにより、ベルト３３は図１において、時計回り方向に駆動され、ベルト３３上に保持された記録紙１６は、図１の左から右へと搬送される。
【００２６】
なお、吸着ベルト搬送部２２に代えて、ローラー・ニップ搬送機構を用いる態様も考えられるが、印字領域をローラー・ニップ搬送すると、印字直後に用紙の印字面にローラーが接触するので、画像が滲み易いという問題がある。従って、本例のように、印字領域では画像面と接触させない吸着ベルト搬送が好ましい。
【００２７】
図２に示すように、印字部１２は、最大紙幅に対応する長さを有するライン型ヘッドを紙搬送方向（副走査方向）と直交する方向（主走査方向）に配置した、いわゆるフルライン型のヘッドとなっている。印字部１２を構成する各ヘッド１２Ｗ、１２Ｋ、１２Ｃ、１２Ｍ、１２Ｙは、本インクジェット記録装置１０が対象とする最大サイズの記録紙１６の少なくとも一辺を超える長さにわたってインク吐出口（ノズル）が複数配列されたライン型ヘッドで構成されている。
【００２８】
記録紙１６の搬送方向（紙搬送方向）に沿って上流側（図１の左側）から白（Ｗ）、黒（Ｋ）、シアン（Ｃ）、マゼンタ（Ｍ）、イエロー（Ｙ）の順に各色インクに対応したヘッド１２Ｗ、１２Ｋ、１２Ｃ、１２Ｍ、１２Ｙが配置されている。記録紙１６を搬送しつつ各ヘッド１２Ｗ、１２Ｋ、１２Ｃ、１２Ｍ、１２Ｙからそれぞれ色インクを吐出することにより記録紙１６上にカラー画像を形成し得る。
【００２９】
このように、紙幅の全域をカバーするフルラインヘッドがインク色毎に設けられてなる印字部１２によれば、紙搬送方向（副走査方向）について記録紙１６と印字部１２を相対的に移動させる動作を一回行うだけで（すなわち、一回の副走査で）記録紙１６の全面に画像を記録することができる。これにより、ヘッドが紙搬送方向と直交する方向（主走査方向）に往復動作するシャトル型ヘッドに比べて高速印字が可能であり、生産性を向上させることができる。
【００３０】
尚、ここで主走査方向及び副走査方向とは、次に言うような意味で用いている。即ち、記録紙の全幅に対応したノズル列を有するフルラインヘッドで、ノズルを駆動する時、（１）全ノズルを同時に駆動するか、（２）ノズルを片方から他方に向かって順次駆動するか、（３）ノズルをブロックに分割して、ブロック毎に片方から他方に向かって順次駆動するか、等のいずれかのノズルの駆動が行われ、用紙の幅方向（紙搬送方向と直交する方向）に１ライン（１列のドットによるライン又は複数列のドットから成るライン）の印字をするようなノズルの駆動を主走査と定義する。そして、この主走査によって記録される１ライン（帯状領域の長手方向）の示す方向を主走査方向という。
【００３１】
一方、上述したフルラインヘッドと記録紙とを相対移動することによって、上述した主走査で形成された１ライン（１列のドットによるライン又は複数列のドットから成るライン）の印字を繰り返し行うことを副走査と定義する。そして、副走査を行う方向を副走査方向という。結局、記録紙の搬送方向が副走査方向であり、それに直交する方向が主走査方向ということになる。
【００３２】
また本例では、ＷＫＣＭＹの５色の構成を例示したが、インク色や色数の組み合わせについては本実施形態には限定されず、必要に応じて淡インク、濃インクを追加してもよい。例えば、ライトシアン、ライトマゼンタ等のライト系インクを吐出するヘッドを追加する構成も可能である。
【００３３】
図１に示したように、インク貯蔵／装填部１４は、各ヘッド１２Ｗ、１２Ｋ、１２Ｃ、１２Ｍ、１２Ｙに対応する各色のインクを貯蔵するタンクを有し、各タンクは図示を省略した管路を介して各ヘッド１２Ｗ、１２Ｋ、１２Ｃ、１２Ｍ、１２Ｙと連通されている。また、インク貯蔵／装填部１４は、インク残量が少なくなるとその旨を報知する報知手段（表示手段、警告音発生手段等）を備えるとともに、色間の誤装填を防止するための機構を有している。
【００３４】
印字部１２の後段には、紫外線照射部４２が設けられている。紫外線照射部４２は、各ヘッド１２Ｗ、１２Ｋ、１２Ｃ、１２Ｍ、１２Ｙから吐出された記録紙１６上のインクに紫外線を照射してインクを定着させる。
【００３５】
紫外線照射部４２には、各ヘッド１２Ｗ、１２Ｋ、１２Ｃ、１２Ｍ、１２Ｙと同様に記録紙１６の最大紙幅に対応する長さを有し、紙搬送方向（副走査方向）と略直交する方向（主走査方向）に延在するように固定されている。例えば、紫外線光源（ＵＶ光源）として、紫外線ＬＥＤ素子、紫外線ＬＤ素子等の発光素子をライン状に配列させた構成から成る。かかる構成によれば、発光素子別に選択的に発光制御が可能であるため、点灯させる発光素子や発光光量を容易に調整でき、紫外線の照射エリアについて所望の照射範囲及び光量（強度）分布を実現できる。
【００３６】
各発光素子から発光される紫外線の漏れ光や反射光が各ヘッド１２Ｗ、１２Ｋ、１２Ｃ、１２Ｍ、１２Ｙのノズル面に照射されないような配置構成となっていることが好ましい。紫外線照射によるノズル目詰まり等の吐出不良を防止することができる。例えば、各ヘッド１２Ｗ、１２Ｋ、１２Ｃ、１２Ｍ、１２Ｙ、又は、紫外線照射部４２に遮光部材を設けて、紫外線の漏れ光や反射光がノズル面に照射されないようにしてもよい。
【００３７】
紫外線照射部４２の後段には、印字検出部２４が設けられている。印字検出部２４は、印字部１２の打滴結果を撮像するためのイメージセンサ（ラインセンサ等）を含み、該イメージセンサによって読み取った打滴画像からノズルの目詰まりその他の吐出不良をチェックする手段として機能する。
【００３８】
本例の印字検出部２４は、少なくとも各ヘッド１２Ｗ、１２Ｋ、１２Ｃ、１２Ｍ、１２Ｙによるインク吐出幅（画像記録幅）よりも幅の広い受光素子列を有するラインセンサで構成される。このラインセンサは、赤（Ｒ）の色フィルタが設けられた光電変換素子（画素）がライン状に配列されたＲセンサ列と、緑（Ｇ）の色フィルタが設けられたＧセンサ列と、青（Ｂ）の色フィルタが設けられたＢセンサ列とからなる色分解ラインＣＣＤセンサで構成されている。なお、ラインセンサに代えて、受光素子が二次元配列されて成るエリアセンサを用いることも可能である。
【００３９】
印字検出部２４は、各色のヘッド１２Ｗ、１２Ｋ、１２Ｃ、１２Ｍ、１２Ｙにより印字されたテストパターンを読み取り、各ヘッドの吐出検出を行う。吐出判定は、吐出の有無、ドットサイズの測定、ドット着弾位置の測定等で構成される。
【００４０】
このようにして生成されたプリント物は、排紙部２６から排出される。本来プリントすべき本画像（目的の画像を印刷したもの）とテスト印字とは分けて排出することが好ましい。このインクジェット記録装置１０では、本画像のプリント物と、テスト印字のプリント物とを選別してそれぞれの排出部２６Ａ、２６Ｂへと送るために排紙経路を切り換える選別手段（不図示）が設けられている。なお、大きめの用紙に本画像とテスト印字とを同時に並列に形成する場合は、カッター（第２のカッター）４８によってテスト印字の部分を切り離す。カッター４８は、排紙部２６の直前に設けられており、画像余白部にテスト印字を行った場合に、本画像とテスト印字部を切断するためのものである。カッター４８の構造は前述した第１のカッター２８と同様であり、固定刃４８Ａと丸刃４８Ｂとから構成されている。また、図示を省略したが、本画像の排出部２６Ａには、オーダー別に画像を集積するソーターが設けられている。
【００４１】
〔記録ヘッドの構成〕
次に、ヘッド１２Ｗ、１２Ｋ、１２Ｃ、１２Ｍ、１２Ｙの構成について説明する。尚、各ヘッド１２Ｗ、１２Ｋ、１２Ｃ、１２Ｍ、１２Ｙの構造は共通しているので、以下では、これらを代表して符号５０によってヘッドを示すものとする。
【００４２】
図３はヘッド５０の外観斜視図（一部分解図）である。図示するように、ヘッド５０は、ノズルプレート５２、アクチュエータ基板５４、及びインクプール基板５６から主に構成される。
【００４３】
ノズルプレート５２には、インク滴の吐出口となるノズル（貫通孔）６０が穿孔形成されている。便宜上、図３では一例として５つのノズル６０が１列に配列された構成を示したが、実際にはこれより多くのノズル６０が配列される。また、１つのノズル列に限らず、複数のノズル列が設けられていてもよい。
【００４４】
ノズルプレート５２の材質として、紫外レーザによるアブレーションにより高精度で自由なノズル形状を実現でき、且つ、機械的な強度が高い材質として、高分子材料が使用できるが、耐熱性と高い機械的強度を有するものが好ましく、例えば、ポリイミド、ポリエーテル・エーテルケトン、ポリフェニレンスルフィド、ポリスルホンがあり、特に、ポリイミドが好ましい。
【００４５】
図４はノズルプレート５２の部分断面図であり、１つのノズル６０に対応する部分を表している。図示するように、ノズル６０は、インク吐出側の開口（最小径部分）からインク流入側（圧力室側）に向かって所定の広がり角度（テーパ角度）θ１を有する円柱部６０Ａと、円柱部６０Ａの広がり角度θ１より大きい広がり角度θ２を有する円錐部６０Ｂとから構成される漏斗形状となっている。以下では、このような漏斗形状のノズルを「漏斗状ノズル」と称する。
【００４６】
本発明において、円柱部６０Ａの広がり角度θ１は０度以上１０度以下の範囲である。円柱部６０Ａの広がり角度θ１が１０度より大きいと、インク滴の飛翔方向（吐出方向）にばらつきが発生しやすくなる。一方、円錐部６０Ｂの広がり角度θ２は、円柱部６０Ａの広がり角度θ１より大きく、好ましくは、広がり角度θ２は４０度以上６０度以下の範囲である。即ち、漏斗状ノズル６０の２つの広がり角度θ１、θ２は、次式 ０度≦θ１≦１０度、且つ、θ１＜θ２を満足するような関係にある。このような漏斗状ノズル６０は、単一の広がり角度から構成される円柱状、或いは、円錐状のノズルに比べて、インクの広がり率が高く、インク使用効率が良くなる。このため、後述する紫外線硬化型の白色インクとの組み合わせにおいて、白色インクの隠蔽性や硬化性を高めることができる。
【００４７】
尚、本発明の効果が達成できる理由は必ずしも明確ではないが、本発明のノズル形状により高い吐出速度が達成され、記録メディアへの着弾後に、インク滴が大きく広がるためであると推定される。
【００４８】
尚、厳密に言えば、広がり角度θ１（θ１≠０度）を有する円柱部６０Ａは円錐状となるが、これより大きな広がり角度θ２を有する円錐部６０Ｂとの区別を図るため、本明細書においては、広がり角度θ１を有する部分を「円柱部６０Ａ」と称することにする。
【００４９】
図３に戻り、ヘッド５０の構成について引き続き説明する。アクチュエータ基板５４には、各ノズル６０に対応する圧力室６２が形成されており、圧力室６２に相当する溝部６２ａが形成される下部板５４Ａと、下部板５４Ａの溝部６２ａの開口面に接着される平板状の上部板５４Ｂとから構成される。このようなアクチュエータ基板５４の前端面には、ノズルプレート５２が接着される。
【００５０】
アクチュエータ基板５４（５４Ａ、５４Ｂ）は圧電材料で構成される。圧電材料としては、チタン酸ジルコン酸鉛やチタン酸バリウム、チタン酸鉛等を採用することができる。この中でも、チタン酸ジルコン酸鉛（ＰＺＴ）は、圧電定数や高周波応答性等の圧電特性に優れているので好ましい。
【００５１】
下部板５４Ａの溝部６２ａの内壁面（底面及び側面）には、薄膜状の電極層（不図示）が形成されている。電極材料としては、例えば、金、銀、アルミニウム、パラジウム、ニッケル、チタン等を採用することができ、メッキ、真空蒸着、スパッタリング等の各種方法を利用して電極層を形成することができる。尚、電極表面には耐インク性の絶縁保護膜（例えば、樹脂等）が形成されている。
【００５２】
インクプール基板５６は、アクチュエータ基板５４の後端面に接着され、その内部には、各圧力室６２に連通する共通流路（インクプール）が形成されている。インクプール基板５６の側端面にはインク供給口６４が設けられている。図１のインク貯蔵／装填部１４からヘッド５０に対して供給されるインクは、このインク供給口６４を介して共通流路内に貯留される。そして、共通流路内に貯留されたインクは、連通する各圧力室６２に対して分配供給される。尚、図３では１つのインク供給口６４が設けられた構成を例示しているが、複数のインク供給口６４が設けられていてもよい。この場合、共通流路内のインクを定期的に循環させることができ、インク粘度上昇に起因する吐出不良を未然に防ぐことができ、特に、高粘度インクが用いられる場合に好適である。
【００５３】
このような構成において、アクチュエータ基板５４は、圧力室６２の側壁をせん断変形させることにより圧力室６２内の容積を変化させ、そのとき発生する圧力によって圧力室６２内のインクをインク滴としてノズル６０から吐出する。
【００５４】
尚、ヘッド５０の構成としては、本実施形態のような、圧電材料の厚み滑り変位によるせん断変形モードを利用するウォールベンド型のものに限定されず、ノズル６０からインク滴を吐出可能であればいかなる構造でもよい。
【００５５】
〔制御系の構成〕
次に、インクジェット記録装置１０の制御系について説明する。
【００５６】
図５は、インクジェット記録装置１０のシステム構成を示す要部ブロック図である。インクジェット記録装置１０は、通信インターフェース７０、システムコントローラ７２、画像メモリ７４、モータドライバ７６、ヒータドライバ７８、プリント制御部８０、画像バッファメモリ８２、ヘッドドライバ８４、光源ドライバ８５等を備えている。
【００５７】
通信インターフェース７０は、ホストコンピュータ８６から送られてくる画像データを受信するインターフェース部である。通信インターフェース７０には、シリアルインターフェースやパラレルインターフェースを適用することができる。この部分には、通信を高速化するためのバッファメモリ（不図示）を搭載してもよい。
【００５８】
ホストコンピュータ８６から送出された画像データは通信インターフェース７０を介してインクジェット記録装置１０に取り込まれ、一旦画像メモリ７４に記憶される。画像メモリ７４は、通信インターフェース７０を介して入力された画像を一旦格納する記憶手段であり、システムコントローラ７２を通じてデータの読み書きが行われる。画像メモリ７４は、半導体素子からなるメモリに限らず、ハードディスクなど磁気媒体を用いてもよい。
【００５９】
システムコントローラ７２は、通信インターフェース７０、画像メモリ７４、モータドライバ７６、ヒータドライバ７８等の各部を制御する制御部である。システムコントローラ７２は、中央演算処理装置（ＣＰＵ）及びその周辺回路等から構成され、ホストコンピュータ８６との間の通信制御、画像メモリ７４の読み書き制御等を行うとともに、搬送系のモータ８８やヒータ８９を制御する制御信号を生成する。
【００６０】
モータドライバ７６は、システムコントローラ７２からの指示に従ってモータ８８を駆動するドライバ（駆動回路）である。ヒータドライバ７８は、システムコントローラ７２からの指示に従って各部のヒータ８９を駆動するドライバである。
【００６１】
プリント制御部８０は、システムコントローラ７２の制御に従い、画像メモリ７４内の画像データから印字制御用の信号を生成するための各種加工、補正などの処理を行う信号処理機能を有し、生成した印字制御信号（ドットデータ）をヘッドドライバ８４に供給する制御部である。プリント制御部８０において所要の信号処理が施され、該画像データに基づいてヘッドドライバ８４を介してヘッド５０のインク滴の吐出量や吐出タイミングの制御が行われる。これにより、所望のドットサイズやドット配置が実現される。
【００６２】
また、プリント制御部８０は、光源ドライバ８５を介して紫外線照射部４２の紫外線光源（ＵＶ光源）のオン・オフや照射量、照射時間等の制御を実行する。ヘッド５０の制御や記録紙１６の搬送制御と連動してもよい。
【００６３】
プリント制御部８０には画像バッファメモリ８２が備えられており、プリント制御部８０における画像データ処理時に画像データやパラメータなどのデータが画像バッファメモリ８２に一時的に格納される。なお、図５において画像バッファメモリ８２はプリント制御部８０に付随する態様で示されているが、画像メモリ７４と兼用することも可能である。また、プリント制御部８０とシステムコントローラ７２とを統合して１つのプロセッサで構成する態様も可能である。
【００６４】
ヘッドドライバ８４は、プリント制御部８０から与えられるドットデータに基づいて各色のヘッド５０を吐出駆動させるための駆動信号を生成し、ヘッド５０に生成した駆動信号を供給する。ヘッドドライバ８４にはヘッド５０の駆動条件を一定に保つためのフィードバック制御系を含んでいてもよい。
【００６５】
光源ドライバ８５は、プリント制御部８０から光源ドライバ８５へ送り出される制御信号に基づいて、紫外線照射部４２の紫外線光源を駆動するための駆動信号を生成し、紫外線光源に対して駆動信号を供給する。ヘッドドライバ８４と同様に、光源ドライバ８５には紫外線光源の駆動条件を一定に保つたものフィードバック制御系を含んでもよい。
【００６６】
印字検出部２４は、図１で説明したように、ラインセンサを含むブロックであり、記録紙１６に印字された画像を読み取り、所要の信号処理などを行って印字状況（吐出の有無、打滴のばらつきなど）を検出し、その検出結果をプリント制御部８０に提供する。プリント制御部８０は、必要に応じて印字検出部２４から得られる情報に基づいてヘッド５０に対する各種補正を行う。
【００６７】
〔インクの説明〕
次に、本実施形態に用いられるインクについて説明する。
【００６８】
本実施形態で用いられる各色（ＷＫＣＭＹ）のインクは、紫外線が照射されると硬化する紫外線硬化型インクであり、主成分として、重合性化合物、光重合開始剤、着色剤を含有する。紫外線硬化型インクは、重合性化合物として、ラジカル重合性化合物を含有するラジカル重合系の紫外線硬化型インク（ラジカル重合型インク）と、カチオン重合性化合物を含むカチオン重合系の紫外線硬化型インク（カチオン重合型インク）とに大別される。以下、これらのインクを構成する各々の材料について説明する。
【００６９】
＜重合性化合物（輻射線硬化型モノマー及びオリゴマー）＞
ラジカル重合型インクに用いられる重合性化合物は、分子内に、アクリロイル基、メタクリロイル基、アリル基、ビニル基、内部二重結合性基（マレイン酸など）などの重合性基を有することが好ましく、なかでも、アクリロイル基、メタクリロイル基を有する化合物が、低エネルギーで硬化反応を生起させることができるので好ましい。
【００７０】
カチオン重合型インクに用いられる重合性化合物としては、脂環式エポキシ化合物、脂肪族系エポキシ化合物、オキセタン誘導体、ビニルエーテル類等の化合物が挙げられる。
【００７１】
重合性化合物は１つの液体中において、１種のみを用いてもよく、２種以上を組み合わせて用いてもよい。
【００７２】
着色剤を含む液体に含有させる重合性化合物の含有率としては、液体中に５０〜９９質量％の範囲が好ましく、７０〜９９質量％の範囲がより好ましく、８０〜９９質量％の範囲がさらに好ましい。
【００７３】
＜光重合開始剤（硬化開始剤、反応開始剤）＞  
ラジカル重合型インクに用いられる光重合開始剤としては、アセトフェノン誘導体、ベンゾインエーテル誘導体、ベンジルジアルキルケタール誘導体、アシルフォスフィンオキサイド誘導体等の化合物が挙げられる。
【００７４】
カチオン重合型インクに用いられる光重合開始剤としては、アリールジアゾニウム塩、ジアリールヨウドニウム塩、トリアリールスルホニウム塩、フェナシルスルホニウム塩等のオニウム塩系の光重合開始剤、または鉄アレーン錯体、スルホン酸エステル、シラノール／アルミニウム錯体等の非イオン系の光重合開始剤が挙げられる。
【００７５】
インク内の光重合開始剤の含有率は、経時安定性と硬化性、硬化速度との観点から、０．５〜２０質量％が好ましく、１〜１５質量％がより好ましく、３〜１０質量％が更に好ましい。
【００７６】
光重合開始剤は、１種あるいは２種以上を組み合わせて用いることができる。また、本発明の効果を損なわない限りにおいて、感度向上の目的で公知の増感剤と併用することもできる。
【００７７】
＜着色剤（色材）＞
本発明において、白色インクの着色剤には白色有機顔料が用いられる。白色有機顔料として、特開平１１−１２９６１３号公報に示される有機
化合物塩や、特開平１１−１４０３６５号公報や特開２００１−２３４０９３号公報に示されるアルキレンビスメラミン誘導体が挙げられる。
【００７８】
上記の白色有機顔料の市販品としては、ＳｈｉｇｅｎｏｘＯＷＰ、ＳｈｉｇｅｎｏｘＯＷＰＬ（以上、ハッコールケミカル社製）などが挙げられる。
【００７９】
本発明においては、白色有機顔料として、下記一般式（Ｉ）
【００８０】
【化２】
2008001072.tif 000004
【００８１】
（ただし、Ｒは水素原子、炭素数１〜４の低級アルキル基又は脂環式基を示す。また、Ｒ１、Ｒ２、Ｒ３、Ｒ４はそれぞれ独立に水素原子、炭素数１〜４の低級アルキル基を示し、窒素原子と共に複素環式基を形成してもよい。また、Ｘは炭素数２〜３の低級アルキレン基を示す。）で表される白色有機顔料であることが好ましい。
【００８２】
上記の顔料の粒径は、隠蔽性が最大となる４００ｎｍ近辺が好ましい。
【００８３】
また、他の白色有機顔料として、架橋スチレン−アクリルから成る中空粒子があり、例えば、ＳＸ８６６、ＳＸ８７８２（以上、ＪＳＲ社製）などが挙げられる。
【００８４】
本発明において、白色有機顔料を単独で用いてもよいし、或いは、２種以上組み合わせてもよい。
【００８５】
一方、本発明に用いられる白色以外の有色インク（本実施形態の場合、黒、シアン、マゼンダ、イエローの各色インク）の着色剤には特に制限はなく、インクの使用目的に適合する色相、色濃度を達成できるものであれば、公知の水溶性染料、油溶性染料及び顔料から適宜選択して用いることができる。なかでも、本発明のインクジェット記録用インクを構成する液体は、非水溶性の液体であって水性溶媒を含有しないことがインク打滴安定性及び速乾性の観点から好ましく、そのような観点からは、非水溶性の液体に均一に分散、溶解しやすい油溶性染料や顔料を用いることが好ましい。
【００８６】
有色インクに使用可能な油溶性染料には特に制限はなく、任意のものを使用することができる。着色剤として油溶性染料を用いる場合の染料の含有量は、固形分換算で０．０５〜２０質量％の範囲であることが好ましく、０．１〜１５質量％が更に好ましく、０．２〜６質量％が特に好ましい。着色剤として顔料を用いる態様もまた、複数種の液体の混合時に凝集が生じやすいという観点から好ましい。
【００８７】
また有色インクに使用される顔料としては、有機顔料、無機顔料のいずれも使用できるが、黒色顔料としては、カーボンブラック顔料等が好ましく挙げられる。また、一般には黒色、及び、シアン、マゼンタ、イエローの３原色の顔料が用いられるが、その他の色相、例えば、赤、緑、青、茶、白等の色相を有する顔料や、金、銀色等の金属光沢顔料、無色又は淡色の体質顔料なども目的に応じて用いることができる。
【００８８】
また、シリカ、アルミナ、樹脂などの粒子を芯材とし、表面に染料又は顔料を固着させた粒子、染料の不溶レーキ化物、着色エマルション、着色ラテックス等も顔料として使用することができる。
【００８９】
さらに、樹脂被覆された顔料を使用することもできる。これは、マイクロカプセル顔料と呼ばれ、大日本インキ化学工業社製、東洋インキ社製などから市販品としても入手可能である。
【００９０】
本発明における液体中に含まれる顔料粒子の体積平均粒子径は、光学濃度と保存安定性とのバランスといった観点からは、３０〜２５０ｎｍの範囲であることが好ましく、さらに好ましくは５０〜２００ｎｍである。ここで、顔料粒子の体積平均粒子径は、例えば、ＬＢ−５００（ＨＯＲＩＢＡ（株）製）などの測定装置により測定することができる。
【００９１】
着色剤として顔料を用いる場合の含有量は、光学濃度と噴射安定性の観点から、インク中において、固形分換算で０．１質量％〜２０質量％の範囲であることが好ましく、１質量％〜１０質量％の範囲であることがより好ましい。
【００９２】
着色剤は１種のみならず、２種以上を混合して使用してもよい。また、液体毎に異なった着色剤を用いても、同じであってもよい。
【００９３】
ラジカル重合型インク、カチオン重合型インクともに、着色剤に用いられる材料には特に制限はなく、インクの使用目的に適合する色相、色濃度を達成できるものであれば、上記記載の油溶性染料及び顔料から適宜選択して用いることができる。
【００９４】
＜その他の添加剤＞
ラジカル重合型インク、カチオン重合型インクともに、その他の添加剤としては、分散剤、溶剤やポリマー、表面張力調整剤、紫外線吸収剤、酸化防止剤、退色防止剤、ｐＨ調整剤等の公知の添加剤を併用することができる。
【００９５】
＜エネルギー付与工程＞  
本発明において重合性化合物の重合を進行させるための露光光源としては、輻射線であり、紫外線、可視光線などを使用することができ、特に、紫外線を用いることが好ましい。硬化反応に必要なエネルギー量は、光重合開始剤の種類や含有量などによって異なるが、一般的には、１〜５００ｍＪ／ｃｍ２程度である。
【００９６】
ラジカル重合型インクは、光（ＵＶ）照射により光重合開始剤がラジカルを発生することで重合を開始するものであり、安価であり、現在インクジェットのインクとして一般に用いられている。
【００９７】
カチオン重合型インクは、光（ＵＶ）照射により光重合開始剤が酸を発生することで重合を開始するものであり、硬化時の体積収縮が少なく、臭気や皮膚刺激性が少ないが、高価であるといった特徴を有している。
【実施例】
【００９８】
次に、実施例を挙げて本発明を具体的に説明するが、本発明はこれらに限定されるものではない。
【００９９】
〔評価用ヘッドの製作〕
評価用ヘッドとして、表１に示すとおり、ノズル形状が異なる９種類のノズルプレートＡ〜Ｋをそれぞれ備えるヘッドＡ〜Ｋを製作した。
【０１００】
【表１】
2008001072.tif 000005
【０１０１】
表１中の円柱状ノズルとは、図６に示すような、インク吐出側の開口からインク流入側（圧力室側）に向かって所定の広がり角度θ０で構成される円柱状のノズル１６０をいう。尚、円柱状ノズルは、図４の漏斗状ノズル６０における円柱部６０Ａの場合と同様、厳密に言えば、円錐状（但し、θ０≠０度）ということになるが、本明細書においては、図６に示すようなノズル形状のものを「円柱状ノズル」と称することにする。
【０１０２】
各ノズルプレートＡ〜Ｋの具体的な製作方法は次のとおりである。
【０１０３】
ノズルプレートＡについては、厚さ７５μｍのポリイミド板（宇部興産ユーピレックス）の片面に、特開平１１−２６３０２０号公報に記載の方法で、シランカップリング剤とアルコキシシラン化合物で形成したシリコンレジン層上にフッ素樹脂とフルオロアルキルシラン化合物を用いてフッ素樹脂層からなる撥インク膜を形成した。そして、この撥インク膜上に保護用にポリエチレンテレフタレート製の粘着テープを貼り付けた。次に、ポリイミド板の粘着テープ側とは反対側から、エキシマレーザーにより吐出側の直径が３０μｍのノズルを１５０ｄｐｉの間隔（１７０μｍ間隔）で２５６個穿孔した。このとき、エキシマレーザーによる加工時にビーム径を一定に保つことにより、広がり角度θ０が７度の円柱状ノズルを形成した。
【０１０４】
ノズルプレートＢについては、エキシマレーザーによる穿孔時に、特開２００５−１５３２６０号公報に記載の方法で、広がり角度θ0が５０度の円柱状ノズルを形成した点以外はノズルプレートＡと同様にして製作した。
【０１０５】
ノズルプレートＣについては、エキシマレーザーによる穿孔加工時に、まず、ノズルプレートＢと同様の方法で、広がり角度が３０度の円錐孔を深さ５０μｍまで穿孔した後に、ノズルプレートＡと同様の方法で、ビーム径を一定に保って広がり角度７度でその円錐孔を貫通させることにより、広がり角度θ１が７度の円柱部と広がり角度θ２が３０度の円錐部から成る漏斗状ノズルを形成した。他については、ノズルプレートＡ、Ｂと同様である。
【０１０６】
ノズルプレートＤ〜Ｇについては、ノズルプレートＣの製作時において最初に穿孔した円錐孔の広がり角度が異なる以外はノズルプレートＣと同様にして製作した。
【０１０７】
ノズルプレートＨ、Ｉ、Ｊ、Ｋについては、ノズルプレートの製作時において最初に穿孔した円錐孔を貫通させる際、エキシマレーザーの出力を変更して、広がり角度θ１をそれぞれ２度、１０度、１１度、１２度とした以外は、ノズルプレートＥと同様にして製作した。尚、上記方法で形成する場合、エキシマレーザーの出力を最大限として、ショット回数を減らしても、円柱部の広がり角度θ１を２度未満にすることはできなかった。
【０１０８】
このようにして製作された各ノズルプレートＡ〜Ｋを、図３に示すように、アクチュエータ基板５４の前端面に接着することによって、表１記載の各評価用ヘッド（ヘッドＡ〜Ｉ）を製作した。尚、各ヘッドＡ〜Ｋはノズルプレートを除いて同一構成である。
【０１０９】
〔評価用インクの調製〕
以下の組成のものをペイントシェーカーで混合し、０．５ｍｍ径のジルコニアビーズを使用したビーズミルにて分散し、白色分散物Ａ、Ｂ、Ｃを得た。
【０１１０】
［白色分散物Ａ］
酸化チタン（平均粒子径０．１５μｍ  石原産業（株）製）      ２５．０重量％
高分子分散剤（アビシア社製  ソルスパース  ３６０００）      １．２５重量％
オキセタン化合物      （アロンオキセタンＯＸＴ−２２１：東亞合成化学製）
７３．７５重量％
［白色分散物Ｂ］
白色有機顔料（中空ポリマー粒子ＳＸ８６６Ａ  ＪＳＲ社製）    ２５．０重量％
高分子分散剤（アビシア社製  ソルスパース  ３２０００）      ３．２５重量％
オキセタン化合物      （アロンオキセタンＯＸＴ−２２１：東亞合成化学製）
７１．７５重量％
［白色分散物Ｃ］
白色有機顔料（ＳｈｅｇｅｎｏｘＯＷＰ ハッコールケミカル製）  ２５．０重量％
高分子分散剤（アビシア社製  ソルスパース  ３２０００）       ３．２５重量％
オキセタン化合物      （アロンオキセタンＯＸＴ−２２１：東亞合成化学製）
７１．７５重量％
次に、上記の白色分散物Ａ、Ｂ、Ｃを用いて、以下の白色インク１、２、３を調整した。
【０１１１】
［インク１］
白色分散物Ａ                                              ２０．０重量％
オキセタン化合物（アロンオキセタンＯＸＴ−２２１：東亞合成社製）
３０．０重量％
オキセタン化合物（アロンオキセタンＯＸＴ−２１１：東亞合成社製）
２５．０重量％
エポキシ化合物（セロキサイド２０２１Ｐ：ダイセル化学工業製）
２０．０重量％
光酸発生剤（イルガキュア２５０：チバ・スペシャリティ・ケミカルズ製）
５．０重量％
［インク２］
白色分散物Ｂ                                              ２０．０重量％
オキセタン化合物（アロンオキセタンＯＸＴ−２２１：東亞合成社製）
３０．０重量％
オキセタン化合物（アロンオキセタンＯＸＴ−２１１：東亞合成社製）
２５．０重量％
エポキシ化合物（セロキサイド２０２１Ｐ：ダイセル化学工業製）
２０．０重量％
光酸発生剤（イルガキュア２５０：チバ・スペシャリティ・ケミカルズ製）
５．０重量％
［インク３］
白色分散物Ｃ                                              ２０．０重量％
オキセタン化合物（アロンオキセタンＯＸＴ−２２１：東亞合成社製）
３０．０重量％
オキセタン化合物（アロンオキセタンＯＸＴ−２１１：東亞合成社製）
２５．０重量％
エポキシ化合物（セロキサイド２０２１Ｐ：ダイセル化学工業製）
２０．０重量％
光酸発生剤（イルガキュア２５０：チバ・スペシャリティ・ケミカルズ製）
５．０重量％
〔評価方法〕
各評価用ヘッド（ヘッドＡ〜Ｋ）と各評価用インク（インク１〜３）をそれぞれ組み合わせて、ヘッドを取り替え可能なインクジェット吐出実験機（吐出量６ｐｌ／滴）を利用して、白色ベタ画像を透明ＰＥＴフィルム上に打滴して、ＵＶ照射したサンプルをそれぞれ作成した。
【０１１２】
各サンプルに対する評価としては、隠蔽率と硬化速度の観点から行った。隠蔽率については、各サンプルの白色ベタ部を黒紙と白紙のそれぞれの上に置いた場合の反射濃度を測定し、これらの差を隠蔽率とすることで評価した。一方、硬化速度については、ＵＶ照射後のサンプルを指で触れて硬化性をみるタッキング評価を行った。硬化速度の判定基準としては、完全に硬化してべとつきがないものを○、ややべとつきがあるものを△、硬化していないものを×とした。各サンプルに対する評価結果を表２に示す。尚、同表において、各実施例の隠蔽率は、ヘッドＡとインク１を組み合わせた実施例１１１の隠蔽率を１００とした場合の相対値となっており、この値が小さいほど隠蔽率が高いことを表している。  
【０１１３】
【表２】
2008001072.tif 000006
【０１１４】
〔評価結果〕
インク１を用いた各実施例１１１〜１２１においては、ヘッド種別（即ち、ノズル形状）に関わらずに、いずれも隠蔽率は１００前後となり、基準とした実施例１１１と同等の隠蔽率であった。また、これらの実施例１１１〜１２１の硬化速度の評価はいずれも×（硬化していない）であった。
【０１１５】
また、インク２を用いた実施例１２１〜１３２のうち、ヘッドＡ、Ｂ、Ｊ、Ｋを用いた実施例１２２、１２３、１３１、１３２の隠蔽率は、基準とした実施例１１１の隠蔽率と同等か、それより悪い結果（即ち、隠蔽率１００以上）となった。特に、円柱状ノズルを有するヘッドＡ、Ｂを用いた実施例１２２、１２３の隠蔽率は１３０以上と悪い結果であった。また、実施例１２２、１２３の硬化速度の評価は×であり、実施例１３１、１３２の硬化速度の評価は△（ややべとつきがある）であった。
【０１１６】
また、インク３を用いた実施例１３３〜１４３のうち、ヘッドＡ、Ｂ、Ｊ、Ｋを用いた実施例１３３、１３４、１４２、１４３の隠蔽率は、インク２の場合と同様に、基準とした実施例１１１の隠蔽率と同等か、それより悪い結果（隠蔽率１００以上）となった。また、実施例１３３、１３４の硬化速度の評価は×であり、実施例１４２、１４３の硬化速度の評価は△であった。
【０１１７】
一方、インク２と各ヘッドＣ〜Ｉを組み合わせた実施例１２４〜１３０においては、いずれも隠蔽率は９０未満であり、基準とした実施例１１１に比べると隠蔽率が高いことを確認した。また、これらの実施例１２４〜１３０の硬化速度の評価はいずれも○（硬化している）であった。また、インク３と各ヘッドＣ〜Ｉを組み合わせた実施例１３５〜１４１においても、実施例１２４〜１３０と同様の結果を得られることを確認した。
【０１１８】
また、記録媒体（メディア）として透明ＯＰＰフィルムを用いた場合についても、同様の結果を得られることを確認した。
【０１１９】
以上の評価結果より、本発明の実施例によれば、白色有機顔料を含有する白色インクと所定の範囲の広がり角度（θ１、θ２）を有する漏斗状ノズルとの組み合わせにより、白色インクの隠蔽性と硬化性を高めることができることを確認した。  
【０１２０】
以上、本発明のインクジェット記録装置について詳細に説明したが、本発明は、以上の例には限定されず、本発明の要旨を逸脱しない範囲において、各種の改良や変形を行ってもよいのはもちろんである。
【図面の簡単な説明】
【０１２１】
【図１】本実施形態のインクジェット記録装置の全体構成図
【図２】インクジェット記録装置の印字部周辺を示した要部平面図
【図３】記録ヘッドの外観斜視図
【図４】ノズルプレートの部分断面図
【図５】インクジェット記録装置のシステム構成を示す要部ブロック図
【図６】円柱状ノズルの断面図
【図７】ラッパ状ノズルの断面図
【図８】漏斗状ノズルの断面図
【符号の説明】
【０１２２】
１０…インクジェット記録装置、４２…紫外線照射部、５０…ヘッド、５２…ノズルプレート、５４…アクチュエータ基板、６０…ノズル、６２…圧力室、６０Ａ…円柱部、６０Ｂ…円錐部、８０…プリント制御部
【図１】
2008001072.tif 000008
【図２】
2008001072.tif 000009
【図３】
2008001072.tif 000010
【図４】
2008001072.tif 000011
【図５】
2008001072.tif 000012
【図６】
2008001072.tif 000013
【図７】
2008001072.tif 000014
【図８】
2008001072.tif 000015